(57)【要約】【課題】ロスプリントの発生を抑制し、写真プリントの注文処理の迅速化を図ることができる受付端末及びファイル編集プログラム並びに注文処理方法の提供。【解決手段】受付端末２は、画像ファイルなどを読み取るファイル読み取り手段１５と、注文情報ファイル又は画像ファイルから日付情報を読み取る日付情報読み取り手段１６と、日付無しが選択された場合に注文情報ファイル又は画像ファイル中の日付情報記述場所に空欄の日付情報を書き込むファイル編集手段１７と、日付情報が書き込まれてない場合に日付有り／無し選択画面を表示ない制御や、画像上に既に日付が書き込まれていないことを確認させる警告メッセージを表示させる制御を行う表示制御手段１８と、表示手段３及び操作手段４と、画像ファイルと注文情報ファイルとを出力装置に送信するファイル送信手段１９とを少なくとも備える。【選択図】図４
2006106316.tif 000002
【特許請求の範囲】
【請求項１】
デジタルカメラ又はデジタルカメラ用メディアから、少なくとも画像ファイルを読み取るファイル読み取り手段と、
前記画像ファイルを用いて作成される写真プリントに該画像ファイルに対応付けられた日付を書き込むか否かを選択させるための選択画面を表示手段に表示させる表示制御手段と、を少なくとも備える注文端末において、
前記画像ファイルに付帯された注文情報ファイル又は前記画像ファイルから、該画像ファイルに対応付けられた日付情報を読み取る日付情報読み取り手段を備え、
前記表示制御手段では、前記注文情報ファイル又は前記写真プリントの作成対象となる全ての前記画像ファイルに前記日付情報が記録されていない場合には、前記選択画面を前記表示手段に表示させない制御を行うことを特徴とする注文端末。
【請求項２】
デジタルカメラ又はデジタルカメラ用メディアから、少なくとも画像ファイルを読み取るファイル読み取り手段と、
前記画像ファイルを用いて作成される写真プリントに該画像ファイルに対応付けられた日付を書き込むか否かを選択させるための選択画面を表示手段に表示させる表示制御手段と、を少なくとも備える注文端末において、
前記表示制御手段では、前記写真プリントの作成対象となる画像ファイルが選択された後、前記写真プリントの作成前に、前記画像ファイルに基づく画像上に日付が書き込まれているか否かを確認させるための確認画面を前記表示手段に表示させる制御を行うことを特徴とする注文端末。
【請求項３】
前記表示制御手段では、前記確認画面を前記表示手段に表示させる際に、前記画像ファイルに基づく画像上に既に日付が書き込まれていないことを確認させるための警告メッセージを前記表示手段に表示させる制御を行うことを特徴とする請求項２記載の注文端末。
【請求項４】
デジタルカメラ又はデジタルカメラ用メディアから、少なくとも画像ファイルを読み取るファイル読み取り手段と、
前記画像ファイルを用いて作成される写真プリントに該画像ファイルに対応付けられた日付を書き込むか否かを選択させるための選択画面を表示手段に表示させる表示制御手段と、を少なくとも備える注文端末において、
前記選択画面で日付を書き込まない選択がされた場合に、前記画像ファイルに付帯された注文情報ファイルの日付情報記述場所、又は、前記写真プリントの作成対象となる全ての前記画像ファイルの日付情報記述場所の少なくとも一方に、空欄の日付情報を書き込むファイル編集手段を備えることを特徴とする注文端末。
【請求項５】
前記注文情報ファイルはＤＰＯＦファイルであることを特徴とする請求項１乃至４のいずれか一に記載の注文端末。
【請求項６】
前記画像ファイルはＥＸＩＦ形式のファイルであることを特徴とする請求項１乃至４のいずれか一に記載の注文端末。
【請求項７】
コンピュータを、
デジタルカメラ又はデジタルカメラ用メディアから読み取った画像ファイルを用いて作成される写真プリントに該画像ファイルに対応付けられた日付を書き込むか否かを選択させるための選択画面により、日付を書き込まない選択がされた場合に、前記画像ファイルに付帯された注文情報ファイルの日付情報記述場所、又は、前記写真プリントの作成対象となる全ての前記画像ファイルの日付情報記述場所の少なくとも一方に、空欄の日付情報を書き込むファイル編集手段として機能させることを特徴とするファイル編集プログラム。
【請求項８】
前記ファイル編集手段は、前記写真プリントの作成対象となる画像ファイルに基づく画像上に日付が書き込まれているか否かを確認させるための確認画面で選択された画像ファイルの前記日付情報記述場所、又は、前記注文情報ファイル中の前記選択された画像ファイルに対応する前記日付情報記述場所の少なくとも一方に、空欄の日付情報を書き込むことを特徴とする請求項７記載のファイル編集プログラム。
【請求項９】
前記注文情報ファイルはＤＰＯＦファイルであることを特徴とする請求項７又は８に記載のファイル編集プログラム。
【請求項１０】
前記画像ファイルはＥＸＩＦ形式のファイルであることを特徴とする請求項７又は８記載のファイル編集プログラム。
【請求項１１】
デジタルカメラ又はデジタルカメラ用メディアから、少なくとも画像ファイルを読み取るステップと、
前記画像ファイルに付帯された注文情報ファイル又は前記画像ファイルから、該画像ファイルに対応付けられた日付情報を読み取るステップと、
前記注文情報ファイル又は写真プリントの作成対象となるいずれかの前記画像ファイルに前記日付情報が記録されている場合に、前記画像ファイルを用いて作成される前記写真プリントに該画像ファイルに対応付けられた日付を書き込むか否かを選択させるための選択画面を表示手段に表示させ、前記注文情報ファイル又は前記写真プリントの作成対象となる全ての前記画像ファイルに前記日付情報が記録されていない場合に、前記選択画面を前記表示手段に表示させないステップと、を少なくとも有することを特徴とする注文処理方法。
【請求項１２】
デジタルカメラ又はデジタルカメラ用メディアから、少なくとも画像ファイルを読み取るステップと、
写真プリントの作成対象となる画像ファイルが選択された後、前記写真プリントの作成前に、前記画像ファイルに基づく画像上に日付が書き込まれているか否かを確認させるための確認画面を表示手段に表示させるステップと、を少なくとも有することを特徴とする注文処理方法。
【請求項１３】
前記確認画面を前記表示手段に表示させる際に、前記画像ファイルに基づく画像上に既に日付が書き込まれていないことを確認させるための警告メッセージを前記表示手段に表示させるステップを有することを特徴とする請求項１２記載の注文処理方法。
【請求項１４】
デジタルカメラ又はデジタルカメラ用メディアから、少なくとも画像ファイルを読み取るステップと、
前記画像ファイルを用いて作成される写真プリントに該画像ファイルに対応付けられた日付を書き込むか否かを選択させるための選択画面を表示手段に表示させるステップと、
前記選択画面で日付を書き込まない選択がされた場合に、前記画像ファイルに付帯された注文情報ファイルの日付情報記述場所、又は、前記写真プリントの作成対象となる全ての前記画像ファイルの日付情報記述場所の少なくとも一方に、空欄の日付情報を書き込むステップとを少なくとも有することを特徴とする注文処理方法。
【請求項１５】
更に、前記写真プリントの作成対象となる画像ファイルに基づく画像上に日付が書き込まれているか否かを確認させるための確認画面で選択された画像ファイルの前記日付情報記述場所、又は、前記注文情報ファイル中の前記選択された画像ファイルに対応する前記日付情報記述場所の少なくとも一方に、空欄の日付情報を書き込むステップを有することを特徴とする請求項１４記載の注文処理方法。
【請求項１６】
前記注文情報ファイルはＤＰＯＦファイルであることを特徴とする請求項１１乃至１５のいずれか一に記載の注文処理方法。
【請求項１７】
前記画像ファイルはＥＸＩＦ形式のファイルであることを特徴とする請求項１１乃至１５のいずれか一に記載の注文処理方法。
【発明の詳細な説明】
【技術分野】
【０００１】
本発明は、受付端末及びファイル編集プログラム並びに該受付端末を用いた注文処理方法に関する。
【背景技術】
【０００２】
近年、写真に関連する様々なサービスが提供されるようになってきている。例えば、ユーザがデジタルカメラで写真を撮影し、画像ファイルが記録されたデジタルカメラやデジタルカメラ用メディアをミニラボ等の写真店に持ち込むと、写真店では受付端末を用いてデジタルカメラやメディアから画像ファイルを読み取り、読み取った画像ファイルを用いて高精細な写真プリントを作成したり、該画像ファイルをＣＤ−Ｒなどの記録媒体に書き込むなどの処理を行う。また、店舗内に設置されたキオスク（無人端末）を用いれば、上記写真プリントの作成や記録媒体への書き込みなどの処理をユーザ自身で行うこともできる（上記無人端末に関しては、例えば、下記特許文献１参照）。
【０００３】
【特許文献１】特開平１１−８８１７号公報（第３−４頁、第１図）
【発明の開示】
【発明が解決しようとする課題】
【０００４】
デジタルカメラで得られる画像ファイルがＥＸＩＦ形式のファイルの場合は、ＥＸＩＦ情報の中に写真撮影の日付情報を記録することができ、また、デジタルカメラでプリント注文などに関する情報（いわゆるＤＰＯＦ情報）が記述されたファイルを作成すれば、ＤＰＯＦ情報の中に写真撮影の日付情報を記録することができる。そこで、写真プリントの注文時に写真プリントに日付を書き込む指示をすれば、写真店では指示に応じてプリンタを設定して、ＥＸＩＦ情報又はＤＰＯＦ情報の中から日付情報を読み取って写真プリントに日付を書き込む処理を行うため、ユーザは日付入りの写真プリントを入手することができる。また、プリンタの設定の手間を省き、設定ミスをなくすために、受付端末や無人端末のモニタに日付有り／無しを選択させる画面を表示させ、ユーザが選択した結果を注文情報ファイルに書き込み、該注文情報ファイルによってプリンタを自動的に制御することもできる。
【０００５】
しかしながら、受付端末や無人端末で日付有り／無しを選択する場合、ユーザの希望通りに写真プリントが作成されない場合もある。例えば、プリンタによっては日付有り／無しの指定に関わらず自動的にＥＸＩＦ情報やＤＰＯＦ情報から日付情報を読み取って日付を書き込んでしまうものもあるため、その場合はユーザが日付無しを選択したとしても写真プリントに日付が書き込まれてしまう。また、受付端末や無人端末、プリンタではデジタルカメラで得られた画像ファイルの画像中に既に日付が書き込まれているか否かは判断しないため、既に日付が書き込まれている画像ファイルに対して日付有りを選択すると日付が重複して書き込まれてしまう。
【０００６】
このように、写真プリントを作成する際に、日付を書き込むか否かをユーザに選択させたとしても、ユーザの選択に反して日付が書き込まれてしまったり、また、重複して日付が書き込まれてしまう場合もあり、その場合には写真プリントを作り直さなければならず、ロスプリントが発生してしまうという問題がある。また、ＤＰＯＦ情報やＥＸＩＦ情報の中に元々日付情報が記録されていない場合には写真プリントに日付を書き込むことはできないが、その場合でも日付有り／無し選択画面が表示されてしまうため、無駄な操作が生じてしまい注文処理の迅速化を図ることができないという問題もある。
【０００７】
本発明は、上記問題点に鑑みてなされたものであって、その主たる目的は、ロスプリントの発生を抑制し、写真プリントの注文処理の迅速化を図ることができる受付端末及びファイル編集プログラム並びに注文処理方法を提供することにある。
【課題を解決するための手段】
【０００８】
上記目的を達成するため、本発明の受付端末は、デジタルカメラ又はデジタルカメラ用メディアから、少なくとも画像ファイルを読み取るファイル読み取り手段と、前記画像ファイルを用いて作成される写真プリントに該画像ファイルに対応付けられた日付を書き込むか否かを選択させるための選択画面を表示手段に表示させる表示制御手段と、を少なくとも備える注文端末において、前記画像ファイルに付帯された注文情報ファイル又は前記画像ファイルから、該画像ファイルに対応付けられた日付情報を読み取る日付情報読み取り手段を備え、前記表示制御手段では、前記注文情報ファイル又は前記写真プリントの作成対象となる全ての前記画像ファイルに前記日付情報が記録されていない場合には、前記選択画面を前記表示手段に表示させない制御を行うものである。
【０００９】
また、本発明の受付端末は、デジタルカメラ又はデジタルカメラ用メディアから、少なくとも画像ファイルを読み取るファイル読み取り手段と、前記画像ファイルを用いて作成される写真プリントに該画像ファイルに対応付けられた日付を書き込むか否かを選択させるための選択画面を表示手段に表示させる表示制御手段と、を少なくとも備える注文端末において、前記表示制御手段では、前記写真プリントの作成対象となる画像ファイルが選択された後、前記写真プリントの作成前に、前記画像ファイルに基づく画像上に日付が書き込まれているか否かを確認させるための確認画面を前記表示手段に表示させる制御を行うものであり、前記表示制御手段では、前記確認画面を前記表示手段に表示させる際に、前記画像ファイルに基づく画像に既に日付が書き込まれていないことを確認させるための警告メッセージを前記表示手段に表示させる制御を行う構成とすることができる。
【００１０】
また、本発明の受付端末は、デジタルカメラ又はデジタルカメラ用メディアから、少なくとも画像ファイルを読み取るファイル読み取り手段と、前記画像ファイルを用いて作成される写真プリントに該画像ファイルに対応付けられた日付を書き込むか否かを選択させるための選択画面を表示手段に表示させる表示制御手段と、を少なくとも備える注文端末において、前記選択画面で日付を書き込まない選択がされた場合に、前記画像ファイルに付帯された注文情報ファイルの日付情報記述場所、又は、前記写真プリントの作成対象となる全ての前記画像ファイルの日付情報記述場所の少なくとも一方に、空欄の日付情報を書き込むファイル編集手段を備えるものである。
【００１１】
また、本発明のファイル編集プログラムは、コンピュータを、デジタルカメラ又はデジタルカメラ用メディアから読み取った画像ファイルを用いて作成される写真プリントに該画像ファイルに対応付けられた日付を書き込むか否かを選択させるための選択画面により、日付を書き込まない選択がされた場合に、前記画像ファイルに付帯された注文情報ファイルの日付情報記述場所、又は、前記写真プリントの作成対象となる全ての前記画像ファイルの日付情報記述場所の少なくとも一方に、空欄の日付情報を書き込むファイル編集手段として機能させるものである。
【００１２】
本発明においては、前記ファイル編集手段は、前記写真プリントの作成対象となる画像ファイルに基づく画像上に日付が書き込まれているか否かを確認させるための確認画面で選択された画像ファイルの前記日付情報記述場所、又は、前記注文情報ファイル中の前記選択された画像ファイルに対応する前記日付情報記述場所の少なくとも一方に、空欄の日付情報を書き込む構成とすることができる。
【００１３】
また、本発明の注文処理方法は、デジタルカメラ又はデジタルカメラ用メディアから、少なくとも画像ファイルを読み取るステップと、前記画像ファイルに付帯された注文情報ファイル又は前記画像ファイルから、該画像ファイルに対応付けられた日付情報を読み取るステップと、前記注文情報ファイル又は写真プリントの作成対象となるいずれかの前記画像ファイルに前記日付情報が記録されている場合に、前記画像ファイルを用いて作成される前記写真プリントに該画像ファイルに対応付けられた日付を書き込むか否かを選択させるための選択画面を表示手段に表示させ、前記注文情報ファイル又は前記写真プリントの作成対象となる全ての前記画像ファイルに前記日付情報が記録されていない場合に、前記選択画面を前記表示手段に表示させないステップと、を少なくとも有するものであり、前記選択画面を前記表示手段に表示させる際に、前記画像ファイルに基づく画像に既に日付が書き込まれていないことを確認させるための警告メッセージを前記表示手段に表示させるステップを有する構成とすることもできる。
【００１４】
また、本発明の注文処理方法は、デジタルカメラ又はデジタルカメラ用メディアから、少なくとも画像ファイルを読み取るステップと、写真プリントの作成対象となる画像ファイルが選択された後、前記写真プリントの作成前に、前記画像ファイルに基づく画像上に日付が書き込まれているか否かを確認させるための確認画面を表示手段に表示させるステップと、を少なくとも有するものであり、本発明においては、前記確認画面を前記表示手段に表示させる際に、前記画像ファイルに基づく画像上に既に日付が書き込まれていないことを確認させるための警告メッセージを前記表示手段に表示させるステップを有する構成とすることができる。
【００１５】
また、本発明の注文処理方法は、デジタルカメラ又はデジタルカメラ用メディアから、少なくとも画像ファイルを読み取るステップと、前記画像ファイルを用いて作成される写真プリントに該画像ファイルに対応付けられた日付を書き込むか否かを選択させるための選択画面を表示手段に表示させるステップと、前記選択画面で日付を書き込まない選択がされた場合に、前記画像ファイルに付帯された注文情報ファイルの日付情報記述場所、又は、前記写真プリントの作成対象となる全ての前記画像ファイルの日付情報記述場所の少なくとも一方に、空欄の日付情報を書き込むステップとを少なくとも有するものである。
【００１６】
本発明においては、更に、前記写真プリントの作成対象となる画像ファイルに基づく画像上に日付が書き込まれているか否かを確認させるための確認画面で選択された画像ファイルの前記日付情報記述場所、又は、前記注文情報ファイル中の前記選択された画像ファイルに対応する前記日付情報記述場所の少なくとも一方に、空欄の日付情報を書き込むステップを有する構成とすることもできる。
【００１７】
本発明においては、前記注文情報ファイルをＤＰＯＦファイルとすることができ、また、前記画像ファイルをＥＸＩＦ形式のファイルとすることもできる。
【００１８】
このように、本発明の構成によれば、ユーザが日付を書き込まない選択をしたにも関わらず写真プリントに日付が書き込まれたり、日付が重複して書き込まれるなどの不具合を防止してミスプリントの発生を抑制することができ、また、無駄な操作を省略して写真プリントの注文処理の迅速化を図ることができる。
【発明の効果】
【００１９】
本発明の受付端末及びファイル編集プログラム並びに注文処理方法によれば、下記記載の効果を奏する。
【００２０】
本発明の第１の効果は、ユーザが日付無しを選択したにも関わらず写真プリントに日付が書き込まれたり、日付が重複して書き込まれるなどの不具合を防止し、ミスプリントの発生を抑制することができるということである。
【００２１】
その理由は、本発明の受付端末では、画像ファイルと共に読み取った注文情報ファイルに記述された情報や画像ファイルのヘッダに記述された情報から日付情報を読み取り、日付有り／無し選択画面を表示する際に、プリント対象となる画像ファイルに基づく画像上に既に日付が書き込まれていないことを確認させる警告メッセージを表示させる制御や、日付無しが選択された場合に注文情報ファイルの日付情報記述場所やプリント対象となる全ての画像ファイル中の日付情報記述場所の少なくとも一方に空欄の日付情報を書き込む制御、プリント対象となる画像ファイルが選択された後に、画像ファイルに基づく画像上に日付が書き込まれているか否かを確認させるための確認画面や画像ファイルに基づく画像上に既に日付が書き込まれていないことを確認させるための警告メッセージを表示させ、確認画面で選択された画像ファイルの日付情報記述場所、又は、注文情報ファイル中の選択された画像ファイルに対応する日付情報記述場所の少なくとも一方に、空欄の日付情報を書き込む制御などが行われるからである。
【００２２】
また、本発明の第２の効果は、無駄な操作を省略して写真プリントの注文処理の迅速化を図ることができるということである。
【００２３】
その理由は、本発明の受付端末では、注文情報ファイルやプリント対象となる全ての画像ファイルの日付情報記述場所に日付情報が書き込まれていない場合に、上記日付有り／無し選択画面を表示させない制御が行われるからである。
【発明を実施するための最良の形態】
【００２４】
本発明の受付端末は、その好ましい一実施の形態において、デジタルカメラやメディアなどから画像ファイルや必要に応じて注文情報ファイルを読み取るファイル読み取り手段と、画像ファイルに付帯した注文情報ファイルに記述された情報（例えば、ＤＰＯＦ情報）又は画像ファイルのヘッダに記述された情報（例えば、ＥＸＩＦ情報）から日付情報を読み取る日付情報読み取り手段と、日付有り／無し選択画面により日付無しが選択された場合に、注文情報ファイルの日付情報記述場所又はプリント対象となる全ての画像ファイル中の日付情報記述場所の少なくとも一方に空欄の日付情報を書き込んだり、注文情報確認画面で選択された画像ファイルの日付情報記述場所又は注文情報ファイル中の選択された画像ファイルに対応する日付情報記述場所の少なくとも一方に空欄の日付情報を書き込むなどのファイル内容の編集を行うファイル編集手段と、注文情報ファイルやプリント対象となる全ての画像ファイルの日付情報記述場所に日付情報が書き込まれてない場合に、日付有り／無し選択画面を表示手段に表示させない制御や、プリント対象となる画像ファイルが選択された後、写真プリントの作成前に、画像ファイルに基づく画像上に日付が書き込まれているか否かを確認させるための注文情報確認画面や、プリント対象となる画像ファイルに基づく画像上に既に日付が書き込まれていないことを確認させる警告メッセージを表示手段に表示させる制御などを行う表示制御手段と、表示手段及び操作手段と、画像ファイルと注文情報ファイルとをプリント作成装置や記録媒体作成装置などの出力装置に送信するファイル送信手段とを少なくとも備える。これにより、ユーザが日付無しを選択したにも関わらず写真プリントに日付が書き込まれたり、日付が重複して書き込まれるなどの不具合を防止してミスプリントの発生を抑制することができ、また、無駄な操作を省略して写真プリントの注文処理の迅速化を図ることができる。
【実施例】
【００２５】
上記実施形態について詳細に説明すべく、本発明の一実施例に係る受付端末及びファイル編集プログラム並びに注文処理方法について、図１乃至図１６を参照して説明する。図１は、本実施例に係る注文処理システムの構成を模式的に示す図であり、図２及び図３は、受付端末のバリエーションを示す図である。また、図４は、受付端末の機能を示すブロック図であり、図５は、プリント作成装置の機能を示すブロック図である。また、図６及び図７は、本実施例の受付端末及びプリント作成装置並びに記録媒体作成装置を用いた注文処理の手順を示すフローチャート図であり、図８乃至図１３は、受付端末の表示手段に表示される画面構成例を示す図である。また、図１４及び図１５は、記録媒体におけるデータの記録構造を示す図であり、図１６は、記録媒体に構造を模式的に示す図である。
【００２６】
図１に示すように、本実施例の注文処理システム１は、ミニラボなどに写真店やコンビニエンスストアなどの注文店などに設置され、写真プリントや記録媒体の作成を指示する受付端末２と、写真店や生産店などに設置されるプリント作成装置１１ａや記録媒体作成装置１１ｂなどの出力装置１０とで構成され、これらはＬＡＮやＷＡＮ、ＶＡＮなどの通信ネットワークを介して接続されている。
【００２７】
また、図４に示すように、本実施例の受付端末２は、スマートメディア、コンパクトフラッシュ（登録商標）、メモリースティック、ＳＤメモリーカード、マルチメディアカードなどのデジタルカメラ９用又はカメラ付き携帯電話機９ａ用の記録媒体（以下、メディア８と呼ぶ。）を装填するメディア装填部５や、デジタルカメラ９やカメラ付き携帯電話機９ａ等の撮影機器（以下、デジタルカメラ９として説明する。）を有線又は無線、赤外線等によって接続するための機器接続部６などのファイル読み取り手段１５と、画像ファイルに付帯する注文情報ファイルに記述された情報（例えば、ＤＰＯＦ：Digital Print Order Format情報）や画像ファイルのヘッダに記述された情報（例えば、ＥＸＩＦ：Exchangeable Image File Format情報）の中から画像ファイルに対応付けされた撮影日などの日付情報を読み取る日付情報読み取り手段１６と、日付有り／無し選択画面で日付無しが選択された場合に、注文情報ファイルに注文情報を書き込んだり、注文情報ファイルの日付情報記述場所やプリント対象となる全ての画像ファイルの日付情報記述場所の少なくとも一方に空欄の日付情報を書き込んだり、注文情報確認画面で選択された画像ファイルの日付情報記述場所又は注文情報ファイル中の選択された画像ファイルに対応する日付情報記述場所の少なくとも一方に空欄の日付情報を書き込むなどのファイル内容の編集を行うファイル編集手段１７と、注文情報ファイルやプリント対象となる全ての画像ファイルの日付情報記述場所に日付情報が記録されていない場合に日付有り／無し選択画面を表示手段３に表示させない制御や、プリント対象となる画像ファイルが選択された後、写真プリントの作成前に、画像ファイルに基づく画像上に日付が書き込まれているか否かを確認させるための注文情報確認画面や、プリント対象となる画像ファイルに基づく画像上に既に日付が書き込まれていないことを確認させる警告メッセージを表示手段３に表示させる制御などを行う表示制御手段１８と、ＬＣＤ、ＣＲＴ等の表示手段３と、ボタン、キーボード、マウス等の操作手段４と、画像ファイルや注文情報ファイルを出力装置１０に送信するファイル送信手段１９などを備え、必要に応じて、注文番号が記録されたレシートを出力するレシートプリンタ７などが接続されている。
【００２８】
また、図５に示すように、本実施例のプリント作成装置１１ａは、受付端末２から送信された画像ファイル及び注文情報ファイルを受信するファイル受信手段２０と、注文情報確認画面で選択された画像ファイルの日付情報記述場所又は注文情報ファイル中の選択された画像ファイルに対応する日付情報記述場所の少なくとも一方に空欄の日付情報を書き込むなどのファイル内容の編集を行うファイル編集手段２１と、画像ファイルに基づく画像上に日付が書き込まれているか否かを確認させるための注文情報確認画面の表示などを行うための表示手段２３と、注文内容の確認、画像ファイルの選択などを行うための操作手段２４と、注文情報ファイルに基づいて任意のサイズ（Ｅ、Ｌ、ＫＧ、Ａ４など）、種別（銀塩プリント、昇華プリントなど）、形態（個別のプリント、インデックスプリント、ジャケットプリントなど）の写真プリント１２の作成を行う印刷手段２４とを備えている。また、記録媒体作成装置１１ｂには、少なくとも、ＣＤ−Ｒ／ＲＷやＤＶＤ±Ｒ／ＲＷ、ＤＶＤ−ＲＡＭ、ＨＤ−ＤＶＤ、Ｂｌｕ−ｒａｙディスク等の記録媒体１３を装填する記録媒体装填部１４などの書き込み手段を備えている。
【００２９】
なお、図１では、受付端末２とプリント作成装置１１ａと記録媒体作成装置１１ｂとを別々の装置として記載しているが、例えば、図２に示すように、受付端末２と記録媒体作成装置１１ｂの機能を兼ね備えたコンピュータ機器としてもよいし、図３に示すように、受付端末２とプリント作成装置１１ａと記録媒体作成装置１１ｂとが一体となったキオスク（無人端末）などとしてもよい。また、受付端末２やプリント作成装置１１ａの各手段はハードウェアとして構成されていてもよいし、コンピュータを、少なくともファイル編集手段１７（ファイル編集手段２１）として機能させるファイル編集プログラムとして構成し、該ファイル編集プログラムを受付端末２やプリント作成装置１１ａにインストールして実行する構成としてもよい。
【００３０】
次に、上記構成の受付端末２を用いた注文処理の手順について、図６のフローチャート図を参照して説明する。
【００３１】
まず、受付端末２を起動すると、表示手段３に例えば、図８に示すようなメニュー画面２６が表示される。このメニュー画面２６には、画像ファイルから写真プリント１２を作成するのか、画像ファイルを記録した記録媒体１３を作成するのか、又はその双方を作成するのかなどを選択するボタンが表示され、ステップＳ１０１で、ユーザは所望の作業を選択する。
【００３２】
次に、ステップＳ１０２で、メディア装填部５にメディア８を装填、又は機器接続部６にデジタルカメラ９を接続すると、ステップＳ１０３で、ファイル読み取り手段１５は、メディア８やデジタルカメラ９から画像ファイルを読み取る。その際、メディア８やデジタルカメラ９にプリント注文に関する情報が記録された注文情報ファイル（例えば、ＤＰＯＦファイルや他の形式のファイル）がある場合はその注文情報ファイルも読み取る。
【００３３】
画像ファイルや注文情報ファイルの読み取りが終了すると、表示手段３に、例えば図９に示すような画像選択画面２７が表示される。この画像選択画面２７には、読み取った画像ファイルに基づく縮小画像と、プリント枚数を設定するボタン（＋／−ボタン、”全コマ１枚減らす／増やす”ボタンなど）や画像加工画面に遷移するボタン（トリミングボタン）とが表示され、ステップＳ１０４で、ユーザは操作手段４を操作して写真プリント１２を作成する画像ファイルの選択やプリント枚数などを設定し、ファイル編集手段１７は、選択された画像ファイルが設定された枚数でプリントされるように注文情報ファイルを編集（又はメディア８やデジタルカメラ９に注文情報ファイルが記録されていない場合は新たに注文情報ファイルを作成）する。また、必要に応じてトリミングボタンを押して図１０に示すような画像編集画面２８を表示させ、画像中に既に日付が書き込まれているかなどを確認したり、該画像に対する回転や拡大、位置変更などの加工を施す。
【００３４】
ここで、従来の受付端末２では、画像ファイルの選択後、直ちに日付有り／無し選択画面を表示していたため、例えば、ユーザの確認ミスによって既に日付が書き込まれている画像ファイルがあるにも関わらず日付有り／無し選択画面で日付有りが選択されてしまう場合もある。そこで、本実施例では、日付が重複して書き込まれるという不具合の発生を防止するために、ステップＳ１０５で、表示制御手段１８は、画像ファイルの選択後、写真プリント１２の作成前の任意のステップ（ここでは画像の選択直後）で、例えば図１１に示すような注文情報確認画面２９を表示手段３に表示させる。この注文情報確認画面２９には、選択した画像ファイルに基づく縮小画像が一覧表示され、各々の縮小画像表示欄に画像を拡大表示させるための確認ボタンが設けられており、この縮小画像や確認ボタンを押して表示される拡大画像を見て、画像ファイルの中に既に日付が書き込まれている画像ファイルが混在していないかを確認する。
【００３５】
また、表示制御手段１８は、注文情報確認画面２９を表示させる際に、必要に応じて、例えば図１２に示すような、プリント対象となる画像ファイルの画像上に既に日付が書き込まれていないかの確認を促す警告メッセージ３０を表示させる。このような警告メッセージ３０を表示することによって、日付が重複して書き込まれてしまうという不具合を更に確実に防止し、ミスプリントの発生を抑制することができる。
【００３６】
次に、ステップＳ１０６で、日付情報読み取り手段１６は、注文情報ファイルに記述されている情報（ＤＰＯＦ情報）又は画像ファイルのヘッダに記述されている情報（ＥＸＩＦ情報）中の日付情報記述場所から、画像ファイルに対応付けされた日付情報（写真撮影を行った日付や画像ファイルを編集した日付など）を読み取る。
【００３７】
そして、ステップＳ１０７で、注文情報ファイル又はプリント対象となる全ての画像ファイルに日付情報が記録されていない場合はステップＳ１１１にスキップし、注文情報ファイル又はプリント対象となる少なくとも１つの画像ファイルに日付情報が記録されている場合は、表示制御手段１８は、例えば、図１３に示すような、写真プリント１２に日付を書き込むか否かを選択するボタンが表示された日付有り／無し選択画面３１を表示手段３に表示させる。
【００３８】
ここで、従来の受付端末では、注文情報ファイル又は画像ファイルに日付情報が記録されているか否かに関わらず日付有り／無し選択画面３１を表示していたため、例えば、注文情報ファイル又は画像ファイルに日付情報が記録されておらず日付無ししか選択できない場合でも日付有り／無し選択画面３１で日付無しを選択しなければならず、無駄な操作が必要であった。しかしながら、本実施例の受付端末２では、注文情報ファイル又はプリント対象となる全ての画像ファイルに日付情報が記録されていない場合は、表示制御手段１８は日付有り／無し選択画面３１を表示手段３に表示させない制御を行うため、余分な画面を表示させないことによって写真プリント１２の注文処理の迅速化を図ることができる。
【００３９】
そして、ステップＳ１０９で、ユーザは日付有り／無し選択画面３１の所望のボタンを押して日付有り／無しを選択する。ここで、プリント作成装置１１ａによっては、注文情報ファイルや画像ファイルのいずれかに日付情報が記録されている場合に、自動的にその日付情報を読み取って写真プリント１２に日付を書き込む制御を行うものもあるため、例えば、ステップＳ１０９で日付無しを選択し、その選択結果を注文情報ファイルに記述したとしても、注文情報ファイルや画像ファイルから日付情報が読み取られ、写真プリント１２に日付が書き込まれてしまう場合があった。そこで、本実施例の受付端末２（ファイル編集プログラム）では、日付無しが選択された場合に、注文情報ファイルや画像ファイルから日付情報が読み取られたとしても写真プリント１２に日付が書き込まれないようにするために、ステップＳ１１０で、注文情報ファイルや画像ファイル中の日付情報記述場所に空欄の日付情報を書き込むことにより上記問題を解決している。
【００４０】
具体的に説明すると、例えば、ＤＰＯＦファイルは自動プリントファイル（AUTPRINT.MRK）とUNICODE文字列記述ファイル（UNICODE.MRK）と自動送信ファイル（AUTXFER.MRK）と自動再生ファイル（AUTPLAYn.MRK）とで構成され、自動プリントファイル（AUTPRINT.MRK）には、各々の画像ファイルのパス情報に関する記述場所（<IMG SCR="../DCIM/100KONIC/DSC00001.jpg">）の後に、日付指定に関する記述場所（CFG DSC="2004.09.22"-ATR DTM）が設けられており、その日付情報記述場所に空欄の日付情報（CFG DSC="    .  .  "、CFG DSC="    /  /  "、CFG DSC="          "など）を書き込む。また、ＥＸＩＦ情報の場合も同様であり、ＥＸＩＦ情報の中に撮影日に関する記述場所があり、その日付情報記述場所に空欄の日付情報を書き込む。これにより、プリント作成装置１１ａが注文情報ファイルや画像ファイルから日付情報を読み取ったとしても写真プリント１２には何も書き込まれない（すなわち、空欄が記述される）ため、ユーザが日付無しを選択したにも関わらず日付が書き込まれるという不具合を防止することができる。
【００４１】
また、ステップＳ１０９で日付有りを選択した場合に、ステップＳ１１１で、ファイル編集手段１７を用いて、画像ファイル又は注文情報ファイルの少なくとも一方の日付情報記述場所にＥＸＩＦ情報に記述された日付情報を書き込むなどして、日付有りに設定するが、注文情報ファイルやいずれかの画像ファイルに日付情報が記録されている場合には、日付情報が記録されている画像ファイルに関しては、やはり日付が重複して書き込まれてしまう場合があった。そこで、本実施例の受付端末２（ファイル編集プログラム）では、日付有りが選択された場合に、注文情報確認画面２９で選択された画像ファイルに対して、注文情報ファイルや画像ファイルから日付情報が読み取られたとしても写真プリント１２に日付が書き込まれないようにするために、ステップＳ１１１で、選択された画像ファイルの日付情報記述場所又は注文情報ファイル中の選択された画像ファイルに対応する日付情報記述場所に、上記と同様の空欄の日付情報（CFG DSC="    .  .  "、CFG DSC="    /  /  "、CFG DSC="          "など）を書き込むことにより上記問題を解決している。
【００４２】
そして、ステップＳ１１２で、ファイル送信手段１９は、選択された画像ファイルと編集された注文情報ファイルとをネットワークを介してプリント作成装置１１ａや記録媒体作成装置１１ｂなどの出力装置に送信すると共に、レシートプリンタ７を用いて注文番号が記録されたレシートを出力し、ユーザに渡して受付端末２の処理を終了する。
【００４３】
次に、プリント作成装置１１ａで画像ファイルから写真プリント１２を作成、又は記録媒体作成装置１１ｂで画像ファイルを記録媒体１３に記録する手順について、図７のフローチャート図を参照して説明する。なお、以下では、前記したフローのステップＳ１０１で、写真プリント１２の作成、又は、写真プリント１２及び記録媒体１３の作成が選択されたものとして説明する。
【００４４】
まず、ステップＳ２０１で、プリント作成装置１１ａのファイル受信手段２０は受付端末２から送信された画像ファイル及び注文情報ファイルを受信する。
【００４５】
ここで、従来のプリント作成装置１１ａでは、注文情報ファイルで指示されたまま写真プリント１２を作成していたため、例えば、日付有りが選択されている場合に、一部の画像ファイルに基づく画像中に既に日付が書き込まれていたとしても、その上に更に日付を書き込んでしまうという問題があった。これに対して、本実施例の受付端末２では、注文情報確認画面２９や警告メッセージ３０を表示して、画像中に既に日付が書き込まれていないことをユーザに確認させているが、ユーザの確認ミスによって既に日付が書き込まれている画像ファイルがあるにも関わらず日付有りが選択されてしまう場合もある。そこで、本実施例では、日付が重複して書き込まれるという不具合の発生を確実に防止するために、ステップＳ２０２で、日付有り／無しのいずれが選択されているかを判断し、日付有りが選択されている場合には、ステップＳ２０３で、受付端末２と同様に、例えば図１１に示すような注文情報確認画面２９や図１２に示すような警告メッセージ３０を表示手段２２に表示させる。
【００４６】
そして、既に日付が書き込まれている画像ファイルがある場合は、その画像ファイルを選択して”日付無しに修正”ボタンを押すと、ファイル編集手段２１は、ＤＰＯＦ情報中の選択された画像ファイルのパス名の後段の日付情報記述場所に空欄の日付（CFG DSC="    .  .  "、CFG DSC="    /  /  "、CFG DSC="          "など）を書き込んだり、選択された画像ファイルのＥＸＩＦ情報の日付記述場所に同様に空欄の日付情報を書き込む。これにより、ユーザの確認ミスによって既に日付が書き込まれている画像ファイルに対して日付有りが選択されていたとしても、写真プリント１２に日付が重複して書き込まれることが無く、ミスプリントの発生を抑制することができる。
【００４７】
次に、ステップＳ２０４で、印刷手段２４は、受付端末２から送信された、又はファイル編集手段２１で編集された注文情報ファイルに基づいて、銀塩プリントや昇華プリントなどの写真プリント１２やインデックスプリント、ジャケットプリントなどを作成する。
【００４８】
次に、ステップＳ２０５で、前述したフローで記録媒体１３の作成が指示されている場合は、ステップＳ２０６で、記録媒体作成装置１１ｂの記録媒体装填部１４にＣＤ−Ｒ／ＲＷやＤＶＤ±Ｒ／ＲＷ、ＤＶＤ−ＲＡＭ、ＨＤ−ＤＶＤ、Ｂｌｕ−ｒａｙディスク等の記録媒体１３を装填し、必要に応じて、ステップＳ２０７で、記録媒体１３の所定の領域（例えば、論理アドレス領域外）から識別情報を読み取る。なお、論理アドレス領域とは、ユーザのデータ（プログラム）が記録される領域であり、ユーザデータの配置情報が記録されるプログラムメモリ領域、リードイン・ＴＯＣ（Table Of Contents）領域やリードアウト領域などの情報領域、ディスクの応用コードやレーザ記録パワーの推奨値、その他の情報が記録される案内溝変調（ＡＴＩＰ：Absolute Time In Pre-groove）情報の領域は含まず、また、論理アドレス領域外とは上記論理アドレス領域以外の領域を指すものとする。
【００４９】
ここで、一般的な記録媒体１３の構造について、図１６を参照して説明すると、ＣＤ-Ｒは、ポリカーボネート基板１００上に、シアニン、フタロシアニン、アゾなどの有機色素層１０１と銀などの反射層１０２と保護層１０３とが積層されて形成され、有機色素層１０１に所定のパワーのレーザ光を当てて色素を分解して基板を変形させることでピットを形成し、情報の記録を行っているが、レーザパワーは、レーザ光を照射するレーザヘッドの方式や使用する有機色素層１０１の種類に応じて最適な値が異なるため、情報の書き込みを確実に行うためにはＣＤ-Ｒのタイプやレーザ記録パワーの推奨値をドライブ側が認識する必要がある。そこで、ディスクの応用コードやレーザ記録パワーの推奨値などの情報を記録媒体の製造段階で案内溝変調（ＡＴＩＰ）による情報として書き込み、その情報をドライブのファームウェアが読み取り、ファームウェアが独自にレーザヘッドを制御してレーザパワーの調整を行っている。このような案内溝変調（ＡＴＩＰ）は製造時にしか作成できないため、ユーザレベルでのコピーを防止することができるため、上記識別情報として有効である。
【００５０】
そして、ステップＳ２０８で、該識別情報の有無に基づいて装填された記録媒体１３が特定の記録媒体であるかを判断し、特定の記録媒体である場合は、ステップＳ２０９で、必要に応じて、読み取った画像ファイルに基づいて動画データ（例えば、ＭＰＥＧ１形式の動画データ）を生成（エンコード）し、生成された動画データに基づいて、ＤＶＤプレーヤやＤＶＤレコーダ、ＨＤＤレコーダ、ゲーム機などの家電機器で再生可能な形式の家電機器用データ（例えば、Ｖｉｄｅｏ−ＣＤ形式のデータ）を生成（オーサリング）する。また、必要に応じて、画像ファイルのデータサイズを縮小したサムネール画像ファイルやスクリーンネイル画像ファイルなどの縮小画像ファイルを生成する。
【００５１】
次に、ステップＳ２１０で、記録媒体１３に読み取った画像ファイルや生成したデータを記録するが、その際、家電機器ではデータを読み込むことができる記録領域が限定されるため、まず、家電機器用データを記録媒体１３の論理アドレス領域の内周側に書き込む。次に、必要に応じてセッションをクローズした後、読み取った画像ファイルやサムネイル画像ファイルやスクリーンネイル画像ファイルなどの縮小画像ファイル、スライドショープログラムなどのアプリケーション、スライドショーの設定ファイル、注文情報ファイルなど（以下、これらを総称してコンピュータ機器用データと呼ぶ。）を記録媒体１３の先に記録した家電機器用データの外側に書き込む。
【００５２】
上記手順で作成された記録媒体１３のディレクトリ構造は、例えば、図１４に示すようになり、”DCIM”フォルダ内の画像ファイル、”MISC”フォルダ内の注文情報ファイル、”APPL”フォルダ内のスライドショープログラムやスライドショーの設定ファイル、自動起動ファイルなどでコンピュータ機器用データが構成され、”VCD”フォルダ内の画像ファイルをＶｉｄｅｏ−ＣＤ形式として関連付けるファイル、”SEGMENT”フォルダ内のＴＶ画面に表示する画像ファイル、”MPEGAV”フォルダ内の動画データ、”DAT”フォルダ内のＴＶ画面に静止画像ファイルを表示するためのアプリケーションなどで家電機器用データが構成される。なお、画像ファイルのディレクトリ構造は任意であるが、画像ファイルをコンピュータ機器などにバックアップした場合における管理を容易にするために、例えば、図１５に示すように、画像ファイルの格納場所を示すフォルダ（PS_Roll）の下位の階層にメディア８毎、機器毎、フィルム毎の画像ファイルの格納場所を示すフォルダ（ROYYMMDDyyy_XXXXXXAABxxx、YYMMDD：書き込み年月日を特定する数字、yyy：日毎のシーケンシャル番号、XXXXXX：ランダムなＩＤ番号、AA：メーカーコード（00〜ZZ）、B：ソフトウェア、機器の商品カテゴリー（0〜Z）、xxx：シーケンシャル番号）などを作成したり、各々の画像ファイルをCCYYMMDDxxxxxx（CC：画像ファイルの種別、YYMMDD：書き込み年月日を特定する数字、xxxxxx：シーケンシャル番号）などにリネームしてもよい。
【００５３】
その後、ステップＳ２１１で、作成した写真プリント１２や記録媒体１３を写真店や注文店に送付し、レシートなどと引き替えにユーザに引き渡して一連の処理を終了する。
【００５４】
このように、受付端末２では、写真プリントの作成対象となる画像ファイルが選択された後、写真プリントの作成前に、画像ファイルに基づく画像上に日付が書き込まれているか否かを確認させるための注文情報確認画面２９や、画像上に既に日付が書き込まれてないことを確認させる警告メッセージ３０を表示させたり、日付無しが選択された場合に注文情報ファイルの日付情報記述場所又はプリント対象となる全ての画像ファイル中の日付情報記述場所の少なくとも一方に空欄の日付情報を書き込んだり、注文情報確認画面２９で選択された画像ファイルの日付情報記述場所又は注文情報ファイル中の選択された画像ファイルに対応する日付情報記述場所の少なくとも一方に空欄の日付情報を書き込むなどの制御が行われ、プリント作成装置１１ａでも、日付有りが選択された場合に、注文情報確認画面２９や警告メッセージ３０を表示させたり、注文情報確認画面２９で選択された画像ファイルの日付情報記述場所又は注文情報ファイル中の選択された画像ファイルに対応する日付情報記述場所の少なくとも一方に空欄の日付情報を書き込む制御が行われるため、日付無しを選択したにも関わらず写真プリント１２に日付が書き込まれたり、日付が重複して書き込まれるなどの不具合を防止してミスプリントの発生を抑制することができる。また、受付端末２では、注文情報ファイルやプリント対象となる全ての画像ファイルに日付情報が記述されていない場合には日付有り／無し選択画面３１をスキップさせる制御が行われるため、無駄な操作を省いて写真プリントの注文処理の迅速化を図ることができる。
【００５５】
なお、上記実施例では、デジタルカメラ９で取得した画像ファイルを利用する場合を示したが、本発明は上記実施例に限定されるものではなく、カメラ付き携帯電話機９ａで取得した画像ファイルやネガフィルムをスキャナで読み取って得られた画像ファイル、インターネットなどを利用して取得した画像ファイルなどにも同様に適用することができる。
【図面の簡単な説明】
【００５６】
【図１】本発明の一実施例に係る注文処理システムの構成を模式的に示す図である。
【図２】本発明の一実施例に係る受付端末のバリエーションを示す図である。
【図３】本発明の一実施例に係る受付端末のバリエーションを示す図である。
【図４】本発明の一実施例に係る受付端末の機能を示すブロック図である。
【図５】本発明の一実施例に係るプリント作成装置の機能を示すブロック図である。
【図６】本発明の一実施例に係る受付端末を用いた注文手順を示すフローチャート図である。
【図７】本発明の一実施例に係るプリント作成装置又は記録媒体作成装置を用いた注文手順を示すフローチャート図である。
【図８】本発明の一実施例に係る受付端末の表示手段に表示される画面構成例（メニュー画面）を示す図である。
【図９】本発明の一実施例に係る受付端末の表示手段に表示される画面構成例（画像選択画面）を示す図である。
【図１０】本発明の一実施例に係る受付端末の表示手段に表示される画面構成例（画像編集画面）を示す図である。
【図１１】本発明の一実施例に係る受付端末の表示手段に表示される画面構成例（注文情報確認画面）を示す図である。
【図１２】本発明の一実施例に係る受付端末の表示手段に表示される画面構成例（警告メッセージ）を示す図である。
【図１３】本発明の一実施例に係る受付端末の表示手段に表示される画面構成例（日付有り／無し選択画面）を示す図である。
【図１４】本発明の一実施例に係る記録媒体のデータ記録構造を示す図である。
【図１５】本発明の一実施例に係る記録媒体のデータ記録構造の他の例を示す図である。
【図１６】記録媒体（ＣＤ−Ｒ）の構造を模式的に示す図である。
【符号の説明】
【００５７】
１  注文処理システム
２  受付端末
３  表示手段
４  操作手段
５  メディア装填部
６  機器接続部
７  レシートプリンタ
８  メディア
９  デジタルカメラ
９ａ  カメラ付き携帯電話機
１０  出力装置
１１ａ  プリント作成装置
１１ｂ  記録媒体作成装置
１２  写真プリント
１３  記録媒体
１４  記録媒体装填部
１５  ファイル読み取り手段
１６  日付情報読み取り手段
１７  ファイル編集手段
１８  表示制御手段
１９  ファイル送信手段
２０  ファイル受信手段
２１  ファイル編集手段
２２  表示手段
２３  操作手段
２４  印刷手段
２６  メニュー画面
２７  画像選択画面
２８  画像編集画面
２９  注文情報確認画面
３０  警告メッセージ
３１  日付有り／無し選択画面
１００  ポリカーボネート基板
１０１  有機色素層
１０２  反射層
１０３  保護層
【図１】
2006106316.tif 000003
【図２】
2006106316.tif 000004
【図３】
2006106316.tif 000005
【図４】
2006106316.tif 000006
【図５】
2006106316.tif 000007
【図６】
2006106316.tif 000008
【図７】
2006106316.tif 000009
【図８】
2006106316.tif 000010
【図９】
2006106316.tif 000011
【図１０】
2006106316.tif 000012
【図１１】
2006106316.tif 000013
【図１２】
2006106316.tif 000014
【図１３】
2006106316.tif 000015
【図１４】
2006106316.tif 000016
【図１５】
2006106316.tif 000017
【図１６】
2006106316.tif 000018